(57)【要約】【課題】ネットワーク内の任意の保守管理区間における優先度を考慮してネットワーク利用状況を精度よく監視することができるパフォーマンス監視方法およびシステムを提供する。【解決手段】保守管理区間１００の始端ノードＮ０１が終端ノードＮ０３宛に通信量監視要求信号を送信し、中継ノードＮ０２および終端ノードＮ０３が通信量監視要求信号を受信すると信号優先度毎に自ノードの通信量を計測し、その計測値を通信量監視応答信号により始端ノードＮ０１へ返送し、始端ノードＮ０１が中継ノードおよび終端ノードから受信した計測値と自ノードの通信量計測値とを集計し各ノードでの優先度ごとのパフォーマンス監視を実行する。【選択図】図２
2012114553.tif 000002
【特許請求の範囲】
【請求項１】
複数ノードからなる通信ネットワークに設定された保守管理区間のパフォーマンス監視方法であって、
前記保守管理区間の始端ノードが終端ノード宛に通信量監視要求信号を送信し、
前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、
前記始端ノードが前記中継ノードおよび前記終端ノードから受信した計測値と自ノードの通信量計測値とを集計し、各ノードでの優先度ごとのパフォーマンス監視を実行する、
ことを特徴とするパフォーマンス監視方法。
【請求項２】
前記始端ノード、中継ノードおよび終端ノードにおける通信量の計測は、ノード毎にサンプリングなしの計測とサンプリングによる計測のいずれかが選択されることを特徴とする請求項１に記載のパフォーマンス監視方法。
【請求項３】
サンプリングにより前記通信量が計測されると、前記始端ノードは当該計測値を用いてサンプリングなしの計測値を推定し、当該推定計測値により当該ノードでの優先度ごとのパフォーマンス監視を行う、ことを特徴とする請求項２に記載のパフォーマンス監視方法。
【請求項４】
前記通信量監視要求信号および前記通信量監視応答信号は、イーサネットＯＡＭフレームの予約領域を利用して実装されることを特徴とする請求項１−３のいずれか１項に記載のパフォーマンス監視方法。
【請求項５】
複数ノードからなる通信ネットワークに設定された保守管理区間のパフォーマンス監視システムであって、
前記保守管理区間の始端ノードが終端ノード宛に通信量監視要求信号を送信し、
前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、
前記始端ノードが前記中継ノードおよび前記終端ノードから受信した計測値と自ノードの通信量計測値とを集計し、各ノードでの優先度ごとのパフォーマンス監視を実行する、
ことを特徴とするパフォーマンス監視システム。
【請求項６】
請求項５に記載のパフォーマンス監視システムにおける始端ノードとして機能するノードであって、
前記通信量監視要求信号を送信し前記通信量監視応答信号を受信する送受信手段と、
自ノードにおける信号優先度ごとの通信量を計測する計測手段と、
前記中継ノードおよび前記終端ノードから受信した前記計測値と自ノードの通信量計測値とを集計する集計手段と、
を有することを特徴とするノード。
【請求項７】
請求項５に記載のパフォーマンス監視システムにおける始端ノードとして機能するノードのパフォーマンス監視方法であって、
送受信手段が前記通信量監視要求信号を送信し前記通信量監視応答信号を受信し、
計測手段が自ノードにおける信号優先度ごとの通信量を計測し、
集計手段が前記中継ノードおよび前記終端ノードから受信した前記計測値と自ノードの通信量計測値とを集計する、
ことを特徴とするパフォーマンス監視方法。
【請求項８】
請求項５に記載のパフォーマンス監視システムにおける始端ノードとしてプログラム制御プロセッサを機能させるプログラムであって、
送受信手段が前記通信量監視要求信号を送信し前記通信量監視応答信号を受信し、
計測手段が自ノードにおける信号優先度ごとの通信量を計測し、
集計手段が前記中継ノードおよび前記終端ノードから受信した前記計測値と自ノードの通信量計測値とを集計する、
ように前記プログラム制御プロセッサを機能させることを特徴とするプログラム。
【請求項９】
複数ノードからなる通信ネットワークに設定された保守管理区間の端点ノードであって、
前記保守管理区間の対抗端点ノード宛に通信量監視要求信号を送信し、前記通信量監視要求信号に対する通信量監視応答信号を受信する送受信手段と、
自ノードにおける信号優先度ごとの通信量を計測する計測手段と、
前記保守管理区間の中継ノードおよび前記対抗端点ノードから前記通信量監視応答信号により受信した前記中継ノードおよび前記対抗端点ノードおける信号優先度ごとの通信量の計測値と、自ノードの通信量計測値と、を集計する集計手段と、
を有することを特徴とするノード。
【請求項１０】
前記通信量の計測は、ノード毎にサンプリングなしの計測とサンプリングによる計測のいずれかが選択されることを特徴とする請求項９に記載のノード。
【発明の詳細な説明】
【技術分野】
【０００１】
本発明は通信ネットワークに係り、特にネットワークのパフォーマンス監視方法およびシステムに関する。
【背景技術】
【０００２】
近年、音声データや映像データといった重要度の高いデータ転送の増大に伴い、イーサネット（登録商標、以下同様。）が広域網においても使われるようになっている。それに伴いイーサネット保守管理機能（ＯＡＭ：Operations, Administration, Maintenance）の標準化が進められ（ITU-T勧告Y.1731およびIEEE802.1ag）、イーサネットＯＡＭを利用した種々の保守管理技術が提案されている。たとえば、特許文献１には、ＯＡＭフレームヘッダを多段ヘッダとすることで保守管理区間を階層的に拡張し、ネットワーク内で多数の保守ドメインによる運用保守管理を可能にする方法が開示されている。
【０００３】
周知のように、イーサネットＯＡＭの主な機能は、障害検知や遅延などのパフォーマンス測定に限られている。障害検知機能としては、接続性チェック機能（ＣＣ：Continuity Check）、ループバック試験機能（ＬＢ：Loop back）および経路探索機能（ＬＴ：Link Trace）が規定され、パフォーマンス測定機能としては、フレームロスやフレーム遅延を計算する機能が規定されている。
【先行技術文献】
【特許文献】
【０００４】
【特許文献１】特開２００８−０１６７３３１号公報
【発明の概要】
【発明が解決しようとする課題】
【０００５】
しかしながら、イーサネットＯＡＭ（ITU-T勧告Y.1731およびIEEE802.1ag）で提供されるパフォーマンスモニタリング機能は、ネットワークの終端ノードでのパフォーマンス測定に限定される上に、フレーム優先度を考慮していない。このためにネットワークの利用状況を精度よく監視することができない。
【０００６】
そこで本発明の目的は、ネットワーク内の任意の保守管理区間における優先度を考慮してネットワーク利用状況を精度よく監視することができるパフォーマンス監視方法およびシステムを提供することにある。
【課題を解決するための手段】
【０００７】
本発明によるパフォーマンス監視方法は、複数ノードからなる通信ネットワークに設定された保守管理区間のパフォーマンス監視方法であって、前記保守管理区間の始端ノードが終端ノード宛に通信量監視要求信号を送信し、前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、前記始端ノードが前記中継ノードおよび前記終端ノードから受信した計測値と自ノードの通信量計測値とを集計し、各ノードでの優先度ごとのパフォーマンス監視を実行する、ことを特徴とする。
【０００８】
本発明によるパフォーマンス監視システムは、複数ノードからなる通信ネットワークに設定された保守管理区間のパフォーマンス監視システムであって、前記保守管理区間の始端ノードが終端ノード宛に通信量監視要求信号を送信し、前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、前記始端ノードが前記中継ノードおよび前記終端ノードから受信した計測値と自ノードの通信量計測値とを集計し、各ノードでの優先度ごとのパフォーマンス監視を実行する、ことを特徴とする。
【発明の効果】
【０００９】
本発明によりネットワーク内の任意の保守管理区間における優先度を考慮してネットワーク利用状況を精度よく監視することができる。
【図面の簡単な説明】
【００１０】
【図１】本発明の一実施形態によるパフォーマンス監視システムの構成を説明するためのシステム構成図である。
【図２】図１に示すパフォーマンス監視システムの動作を示すシーケンス図である。
【図３】（Ａ）は本実施形態で使用するカウンタモニタリング要求フレームにおける要求情報のフォーマット図、（Ｂ）はカウンタモニタリング応答フレームにおける応答情報のフォーマット図である。
【図４】本実施形態における始端ノードの動作を示すフローチャートである。
【図５】本実施形態における中継ノードおよび終端ノードの動作を示すフローチャートである。
【図６】本実施形態で使用するカウンタモニタリング要求フレームおよびカウンタモニタリング応答フレームを実装するためのイーサネットＯＡＭフレームのフォーマット図である。
【発明を実施するための形態】
【００１１】
以下、通信ネットワークにおけるネットワーク装置や端末をノードと呼び、本発明の一実施形態としてイーサネット網の保守管理機能におけるパフォーマンス監視システムについて説明する。
【００１２】
本実施形態によれば、所望保守管理区間での優先度単位のフレームカウンタモニタリング（全カウンタあるいはサンプルカウンタ）を行うことにより、保守管理区間と優先度とを考慮したパフォーマンスモニタリングを実現する。具体的には、後述するように、保守管理区間内の各地点に対して優先度単位のフレームの全カウンタモニタリングあるいはサンプルカウンタモニタリングを行うことで保守管理区間内の優先度ごとの帯域利用状況を把握することができる。また、サンプリングによるパフォーマンスモニタリングでは、優先度単位のフレームのカウンタモニタリングがハードウェアデバイス等で実装されておらず、また、ソフトウェアとして全てのフレームに関してカウンタモニタリングを実施するほどの性能を持たない場合に、サンプリングでフレーム情報の統計情報を得ることにより近似的にパフォーマンスモニタリングを行うことができる。さらに、イーサネットＯＡＭフレームの予約領域あるいはベンダ独自機能実装領域を使用することで保守管理区間定義をイーサネットＯＡＭと共通化することができ、効率的な機能実装や保守管理を行うことができる。
【００１３】
１．システム構成
本実施形態によるパフォーマンス監視システムは任意のイーサネット網に適用可能であるが、ここでは説明の煩雑化を回避するために、保守管理区間の終端ノード間に１つの中継ノードが介在するネットワークを例示する。
【００１４】
図１に示すように、イーサネット網におけるノードＮ０１、Ｎ０２およびＮ０３に保守管理区間が設定されている。具体的には、ノードＮ０１とノードＮ０３が保守管理区間の終端ノードとして登録され、それぞれ、保守管理区間を識別するための情報、保守管理区間内の地点を表す識別情報およびポート番号、後述するカウンタモニタリング要求/応答フレームを送信するＶＬＡＮ(Virtual LAN)情報、および、対向する終端ノード情報を保持する。また、ノードＮ０２が中継ノードとして登録され、保守管理区間識別情報、保守管理地点識別情報、ポート番号およびＶＬＡＮ情報を保持する。
【００１５】
ここで、保守管理区間は、各終端ノードＮ０１、Ｎ０３内に存在する終端地点間の経路区間である。そして、その経路上にあるノードおよび地点がそれぞれ保守管理区間の中継ノード（ここではＮ０２）および中継地点である。なお、地点とは各ノード（Ｎ０１、Ｎ０２、Ｎ０３）の保守管理区間内で登録されたポート番号により表し、後述するカウンタモニタリングは保守管理区間内の各地点で行うことができる。
【００１６】
ここでは、ノードＮ０１がパフォーマンス監視動作を開始する始端ノードであり、後述するカウンタモニタリング要求フレームを送信して各地点のカウンタモニタリング情報を収集し、収集された情報を集計する。また、ノードＮ０３がカウンタモニタリング要求フレームの宛先ノードとなる終端ノードであり、ノードＮ０２が中継ノードで送信元から受信したカウンタモニタリング要求フレームを宛先側へ転送するノードである。各ノード（Ｎ０１、Ｎ０２、Ｎ０３）は、次に述べるように、保守管理区間および優先度を考慮したフレームのカウンタモニタリングによるパフォーマンス監視機能を有している。
【００１７】
図１において、始端ノードＮ０１は、送受信部１０１、制御部１０２、パフォーマンスモニタ１０３および集計部１０４を有し、制御部１０２の制御に従って、送受信部１０１がカウンタモニタリング要求フレームを送信し、中継ノードＮ０２および終端ノードＮ０３からカウンタモニタリング応答フレームを受信する。パフォーマンスモニタ１０３は、自ノードのモニタリング時間内での全通信量および優先度別通信量を計測する。集計部１０４は、自ノードの計測した通信量情報と、受信したカウンタモニタリング応答フレームの応答情報とを用いて保守管理区間１００の各地点における優先度ごとの帯域利用状況を把握する。
【００１８】
中継ノードＮ０２には送受信部２０１、制御部２０２およびパフォーマンスモニタ２０３が、終端ノードＮ０３にも送受信部３０１、制御部３０２およびパフォーマンスモニタ３０３がそれぞれ設けられている。なお、図１では本実施形態の説明に必要な構成のみを図示している。
【００１９】
２．システム動作
図２は本実施形態によるパフォーマンス監視システムの全体的動作を示すものであり、ここでは後述する図４および図５におけるステップと同じ参照番号を付している。図２に示すように、始端ノードＮ０１は、保守者からのパフォーマンスモニタリングの指示を受けると（ステップ４０１）、自ノードのカウンタモニタリングを実行すると共に（ステップ４０２）、他方の終端ノードＮ０３を宛先として、カウンタモニタリング要求フレームを登録されたＶＬＡＮによって送信する。カウンタモニタリング要求フレームを受信した中継ノードＮ０２および終端ノードＮ０３は、それぞれカウンタモニタリングを実行し（ステップ５０４−５０６）、その結果を含むカウンタモニタリング応答フレームを始端ノードＮ０１へ登録されたＶＬＡＮにより返送する。ただし、送信フレームに対する実際のＶＬＡＮタグの付与方法はＶＬＡＮの種類やフレームの送信方向に因る。
【００２０】
中継ノードＮ０２および終端ノードＮ０３からカウンタモニタリング応答フレームを受信した始端ノードＮ０１は、カウンタモニタリング応答フレームの応答情報と自ノードのカウンタモニタリング情報とを集計し、保守管理区間内の各地点における優先度ごとの通信量監視情報を生成する（ステップ４０５−４０７）。
【００２１】
図３（Ａ）に示すように、カウンタモニタリング要求フレームは、送信宛先となる終端ノードＮ０３のＭＡＣアドレス情報、保守管理区間識別情報、モニタリング種別、モニタリング時間およびサンプリングレートの情報を含む。
【００２２】
図３（Ｂ）に示すように、カウンタモニタリング応答フレームは、自ノードのＭＡＣアドレス情報、ポート速度情報、保守管理区間識別情報、保守管理地点識別情報、モニタリング種別、モニタリング時間、サンプリングレート、モニタリング時間における全送受信フレームのオクテット数（計測された全通信量）、モニタリング時間における各優先度の送受信フレームのオクテット数（計測された優先度別通信量）を含む。
【００２３】
モニタリング種別は、パフォーマンスモニタリング方法として、サンプリングせずに全通信量をカウントするか（全カウンタモニタリング）、サンプリングして通信量をカウントするか（サンプルカウンタモニタリング）のどちらが使用されるかを示し、サンプリングレートはモニタリング種別がサンプルカウンタモニタリングの場合のみ使用する。
【００２４】
全カウンタモニタリングの場合、指定されたモニタリング時間における全送受信フレームのオクテット数、および各優先度の送受信フレームのオクテット数を収集する。サンプルカウンタモニタリングの場合、指定されたモニタリング時間における指定されたサンプリングレートに従った送受信フレームのサンプリングを行うことで各優先度のサンプリングフレームのオクテット数の収集を行う。
【００２５】
サンプルカウンタモニタリングをサポートすることで、優先度単位のフレームのカウンタモニタリングがハードウェアデバイス等でサポートされていないノードあるいはソフトウェアとして全てのフレームに関してカウンタモニタリングを実施するほどの性能を持たないノードであっても、フレームのサンプリングによる統計情報を収集し、近似的にパフォーマンスモニタリングを行うことができる。
【００２６】
３．パフォーマンスモニタリング
３．１）始端ノードの動作
図１に示すように、ノードＮ０１、Ｎ０２、Ｎ０３が縦列に接続され、既に保守管理区間１００およびフレーム優先度を考慮したパフォーマンスモニタリング機能が有効に設定されているものとする。同時に、ノードＮ０１とノードＮ０３に対して終端ノードおよび終端地点が登録され、終端地点間が保守管理区間１００として設定されているものとし、また、ノードＮ０２に対して保守管理区間の中継ノードおよび中継地点が設定されているものとする。
【００２７】
図４において、始端ノードＮ０１の制御部１０２が保守者からカウンタモニタリングの指示を受け付けると（ステップ４０１）、自ノードのパフォーマンスモニタ１０３にカウンタモニタリングを実行させると共に、終端ノードＮ０３までの保守管理区間１００に対するカウンタモニタリングを開始する（ステップ４０２）。すなわち、保守管理区間内の各地点のカウンタモニタリング情報を取得するために、終端ノードＮ０３宛てにカウンタモニタリング要求フレームを送信する（ステップ４０３）。
【００２８】
カウンタモニタリング要求フレームを送信すると、制御部１０２は所定時間内に中継ノードＮ０２および終端ノードＮ０３から応答があるか否かを判定する（ステップ４０４）。所定時間内に中継ノードＮ０２および終端ノードＮ０３からカウンタモニタリング応答フレームを受信すれば（ステップ４０４；ＹＥＳ）、その応答情報からモニタリング種別を判定する（ステップ４０５）。全カウンタモニタリングであれば（ステップ４０５；「全カウンタモニタリング」）、受信した応答情報をそのまま使用し、サンプルカウンタモニタリングであれば（ステップ４０５；「サンプルカウンタモニタリング」）、受信した応答情報から通信量を推定し、自ノードのカウンタモニタリング情報と共に集計処理を実行する（ステップ４０６，４０７）。
【００２９】
詳しくは、モニタリング種別がサンプルカウンタモニタリングであれば、制御部１０２の制御に従って、集計部１０４は、受信した応答情報におけるサンプリングされたカウンタ情報から優先度ごとの送受信フレームのオクテット数を推定する（ステップ４０６）。こうして得られた優先度ごとの送受信フレームのオクテット数推定値と、全カウンタモニタリングの場合の優先度ごとの送受信フレームのオクテット数と、自ノードの優先度ごとの送受信フレームのオクテット数と、を集計することで、各地点での全帯域使用率および優先度ごとの帯域使用率を算出する（ステップ４０７）。始端ノードＮ０１の制御部１０２は、こうして得られた保守管理区間１００の各地点におけるカウンタモニタリング結果を保守者へ応答して処理を終了する。
【００３０】
より詳しくは、モニタリング種別が全カウンタモニタリングの場合には、地点単位で、ポート速度情報とモニタリング時間、全送受信フレームのオクテット数、各優先度の送受信フレームのオクテット数から、全帯域における帯域使用率および優先度単位の帯域使用率を算出する（ステップ４０７）。モニタリング種別がサンプリングの場合には、まず、モニタリング時間、サンプリングレート、各優先度のサンプリングフレームのオクテット数から各優先度の送受信フレームのオクテット数の予測値を算出する（ステップ４０６）。この各優先度の送受信フレームのオクテット数の推定値を使用して、全カウンタモニタリングの場合と同様に、地点ごとの帯域使用率を算出する（ステップ４０７）。
【００３１】
このようにして保守者は上記で算出された集計情報を確認することで、保守管理区間の各地点におけるフレーム優先度単位のネットワークの利用状況を把握することができる。なお、上述した制御部１０２、パフォーマンスモニタ１０３および集計部１０４と同等の機能は、図示しないメモリに格納されたプログラムを始端ノードＮ０１のＣＰＵ(Central Processing Unit)等のプログラム制御プロセッサ上で実行することにより実現することもできる。
【００３２】
３．２）中継／終端ノードの動作
次に、始端ノードＮ０１が送信したカウンタモニタリング要求フレームを中継ノードＮ０１および終端ノードＮ０３が受信した場合の処理について説明する。なお、中継ノードＮ０１の動作は受信フレームを転送する点を除いて終端ノードＮ０３の動作と同様であるから、以下、両ノードをまとめて「ノード」と記し、必要に応じて中継ノードＮ０２と終端ノードＮ０３とを区別して説明する。
【００３３】
図５において、ノードの送受信部２０１／３０１がカウンタモニタリング要求フレームを受信すると（ステップ５０１）、制御部２０２／３０２は、受信フレーム情報の保守管理区間の識別情報が自ノードに設定された保守管理区間の識別情報と一致するか否かをチェックして自ノードがカウンタモニタリング要求の対象であることを確認し、さらにカウンタモニタリング要求フレームの宛先ＭＡＣアドレスが自ノードと一致するか否かをチェックする（ステップ５０２）。
【００３４】
自ノードがカウンタモニタリング要求の対象であって宛先ノードでない場合は（ステップ５０２；ＮＯ）、自ノードが中継ノードＮ０２として機能すべきであるから、制御部２０２は送受信部２０１を制御して、受信したカウンタモニタリング要求フレームを宛先ノード側へ転送する（ステップ５０３）。これに対して、自ノードがカウンタモニタリング要求の対象であって宛先ノードである場合は（ステップ５０２；ＹＥＳ）、自ノードが終端ノードＮ０３として機能すべきであるから、制御部３０２は転送処理（ステップ５０３）を実行せずに、カウンタモニタリング要求フレームを終端して破棄する。
【００３５】
続いて、制御部２０２／３０２は、自ノードが全カウンタモニタリング可能であるか否かを判定する（ステップ５０４）。すなわち、自ノードが優先度単位のカウンタモニタリングがハードウェアデバイス等でサポートされているか否か、あるいは、ソフトウェアとして全てのフレームに関してカウンタモニタリングを実施するほどの性能を有するか否かによって判定する。あるいは、カウンタモニタリング要求フレームによってモニタリング種別がサンプルカウンタモニタリングに指定されている場合はその指定に従う。
【００３６】
こうして保守管理区間１００に設定された中継地点あるいは終端地点において、当該ノードの性能に応じた全カウンタモニタリング（ステップ５０５）あるいはサンプルカウンタモニタリング（ステップ５０６）が実行され、図３（Ｂ）に示すカウンタモニタリングによる計測結果等が応答情報としてカウンタモニタリング応答フレームにより送信元である始端ノードＮ０１へ返送される（ステップ５０７）。なお、上述した制御部２０２／３０２およびパフォーマンスモニタ２０３／３０３と同等の機能は、図示しないメモリに格納されたプログラムを始端ノードＮ０１のＣＰＵ(Central Processing Unit)等のプログラム制御プロセッサ上で実行することにより実現することもできる。
【００３７】
４．実施例
図６に示すように、上述したカウンタモニタリング要求／応答フレームはイーサネットＯＡＭフレームに実装することができる。すなわち、イーサネットOAMフレームフォーマットの予約領域あるいはベンダ独自機能実装領域を使用して図３に示すカウンタモニタリング要求あるいは応答情報を実装することで、保守管理区間をイーサネットＯＡＭと共通化でき、効率的な機能実装や保守管理を行うことができる。
【００３８】
５．効果
上述したように、本実施形態によれば、次のような効果をそうする。
第一に、保守管理区間の各地点における優先度単位のフレームのパフォーマンスモニタリングを行うことで保守管理区間での優先度単位の帯域利用状況を把握できる。
【００３９】
第二に、サンプリングによるパフォーマンスモニタリングは、優先度単位のフレームのカウンタモニタリングが未サポートの場合に有用であり、サンプリングによるフレーム統計情報から近似的にパフォーマンスモニタリングを行うことができる。
【００４０】
４．付記
上述した実施形態の一部あるいは全部は、以下の付記のようにも記載されうるが、これらに限定されるものではない。
【００４１】
（付記１）
複数ノードからなる通信ネットワークに設定された保守管理区間のパフォーマンス監視方法であって、
前記保守管理区間の始端ノードが終端ノード宛に通信量監視要求信号を送信し、
前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、
前記始端ノードが前記中継ノードおよび前記終端ノードから受信した計測値と自ノードの通信量計測値とを集計し、各ノードでの優先度ごとのパフォーマンス監視を実行する、
ことを特徴とするパフォーマンス監視方法。
【００４２】
（付記２）
前記始端ノード、中継ノードおよび終端ノードにおける通信量の計測は、ノード毎にサンプリングなしの計測とサンプリングによる計測のいずれかが選択されることを特徴とする付記１に記載のパフォーマンス監視方法。
【００４３】
（付記３）
サンプリングにより前記通信量が計測されると、前記始端ノードは当該計測値を用いてサンプリングなしの計測値を推定し、当該推定計測値により当該ノードでの優先度ごとのパフォーマンス監視を行う、ことを特徴とする付記２に記載のパフォーマンス監視方法。
【００４４】
（付記４）
前記通信量監視要求信号および前記通信量監視応答信号は、イーサネットＯＡＭフレームの予約領域を利用して実装されることを特徴とする付記１−３のいずれか１項に記載のパフォーマンス監視方法。
【００４５】
（付記５）
複数ノードからなる通信ネットワークに設定された保守管理区間のパフォーマンス監視システムであって、
前記保守管理区間の始端ノードが終端ノード宛に通信量監視要求信号を送信し、
前記保守管理区間の中継ノードおよび前記終端ノードが前記通信量監視要求信号を受信すると、信号優先度毎に自ノードの通信量を計測し、その計測値を前記通信量監視要求信号に対する通信量監視応答信号により前記始端ノードへ返送し、
前記始端ノードが前記中継ノードおよび前記終端ノードから受信した計測値と自ノードの通信量計測値とを集計し、各ノードでの優先度ごとのパフォーマンス監視を実行する、
ことを特徴とするパフォーマンス監視システム。
【００４６】
（付記６）
付記５に記載のパフォーマンス監視システムにおける始端ノードとして機能するノードであって、
前記通信量監視要求信号を送信し前記通信量監視応答信号を受信する送受信手段と、
自ノードにおける信号優先度ごとの通信量を計測する計測手段と、
前記中継ノードおよび前記終端ノードから受信した前記計測値と自ノードの通信量計測値とを集計する集計手段と、
を有することを特徴とするノード。
【００４７】
（付記７）
付記５に記載のパフォーマンス監視システムにおける中継ノードとして機能するノードであって、
前記通信量監視要求信号を前記終端ノードへ転送し、前記通信量監視応答信号を前記始端ノードへ送信する送受信手段と、
自ノードにおける信号優先度ごとの通信量を計測する計測手段と、
を有することを特徴とするノード。
【００４８】
（付記８）
付記５に記載のパフォーマンス監視システムにおける終端ノードとして機能するノードであって、
前記通信量監視要求信号を終端し前記通信量監視応答信号を前記始端ノードへ送信する送受信手段と、
自ノードにおける信号優先度ごとの通信量を計測する計測手段と、
を有することを特徴とするノード。
【００４９】
（付記９）
前記通信量の計測はノード毎にサンプリングなしの計測とサンプリングによる計測のいずれかが選択されることを特徴とする付記６−８のいずれか１項に記載のノード。
【００５０】
（付記１０）
前記通信量監視要求信号および前記通信量監視応答信号は、イーサネットＯＡＭフレームの予約領域を利用して実装されることを特徴とする付記６−９のいずれか１項に記載のノード。
【００５１】
（付記１１）
付記５に記載のパフォーマンス監視システムにおける始端ノードとして機能するノードのパフォーマンス監視方法であって、
送受信手段が前記通信量監視要求信号を送信し前記通信量監視応答信号を受信し、
計測手段が自ノードにおける信号優先度ごとの通信量を計測し、
集計手段が前記中継ノードおよび前記終端ノードから受信した前記計測値と自ノードの通信量計測値とを集計する、
ことを特徴とするパフォーマンス監視方法。
【００５２】
（付記１２）
付記５に記載のパフォーマンス監視システムにおける始端ノードとしてプログラム制御プロセッサを機能させるプログラムであって、
送受信手段が前記通信量監視要求信号を送信し前記通信量監視応答信号を受信し、
計測手段が自ノードにおける信号優先度ごとの通信量を計測し、
集計手段が前記中継ノードおよび前記終端ノードから受信した前記計測値と自ノードの通信量計測値とを集計する、
ように前記プログラム制御プロセッサを機能させることを特徴とするプログラム。
【００５３】
（付記１３）
付記５に記載のパフォーマンス監視システムにおける中継ノードとしてプログラム制御プロセッサを機能させるプログラムであって、
送受信手段が前記通信量監視要求信号を前記終端ノードへ転送し前記通信量監視応答信号を送信し、
計測手段が自ノードにおける信号優先度ごとの通信量を計測する、
ように前記プログラム制御プロセッサを機能させることを特徴とするプログラム。
【００５４】
（付記１４）
付記５に記載のパフォーマンス監視システムにおける終端ノードとしてプログラム制御プロセッサを機能させるプログラムであって、
送受信手段が前記通信量監視要求信号を終端し前記通信量監視応答信号を送信し、
計測手段が自ノードにおける信号優先度ごとの通信量を計測する、
ように前記プログラム制御プロセッサを機能させることを特徴とするプログラム。
【００５５】
（付記１５）
複数ノードからなる通信ネットワークに設定された保守管理区間の端点ノードであって、
前記保守管理区間の対抗端点ノード宛に通信量監視要求信号を送信し、前記通信量監視要求信号に対する通信量監視応答信号を受信する送受信手段と、
自ノードにおける信号優先度ごとの通信量を計測する計測手段と、
前記保守管理区間の中継ノードおよび前記対抗端点ノードから前記通信量監視応答信号により受信した前記中継ノードおよび前記対抗端点ノードおける信号優先度ごとの通信量の計測値と、自ノードの通信量計測値と、を集計する集計手段と、
を有することを特徴とするノード。
【００５６】
（付記１６）
前記通信量の計測は、ノード毎にサンプリングなしの計測とサンプリングによる計測のいずれかが選択されることを特徴とする付記１５に記載のノード。
【００５７】
（付記１７）
サンプリングにより前記通信量が計測されると、前記始端ノードは当該計測値を用いてサンプリングなしの計測値を推定し、当該推定計測値により当該ノードでの優先度ごとのパフォーマンス監視を行う、ことを特徴とする付記１６に記載のノード。
【００５８】
（付記１８）
前記通信量監視要求信号および前記通信量監視応答信号は、イーサネットＯＡＭフレームの予約領域を利用して実装されることを特徴とする付記１５−１７のいずれか１項に記載のノード。
【産業上の利用可能性】
【００５９】
本発明はイーサネット網の保守・管理機能を備えるネットワーク通信機器や端末およびそれらを用いて構成されるネットワークに適用可能である。
【符号の説明】
【００６０】
Ｎ０１  始端ノード
１０１  送受信部
１０２  制御部
１０３  パフォーマンスモニタ
１０４  集計部
Ｎ０２  中継ノード
２０１  送受信部
２０２  制御部
２０３  パフォーマンスモニタ
Ｎ０３  終端ノード
３０１  送受信部
３０２  制御部
３０３  パフォーマンスモニタ
【図１】
2012114553.tif 000003
【図２】
2012114553.tif 000004
【図３】
2012114553.tif 000005
【図４】
2012114553.tif 000006
【図５】
2012114553.tif 000007
【図６】
2012114553.tif 000008